(57)【要約】【課題】肉厚をあまり厚くせずに軽量化を実現しながら剛性が高められたフレーム等を提供する。【解決手段】フレーム１１は、ウェブおよびフランジを有する縦フレーム１１ａと、ウェブおよびフランジを有する横フレーム１１ｂと、第１面部および第２面部をＬ字状に有するＬ字部材としての内挿金物１１ｄとを備えており、上記縦フレーム１１ａと上記横フレーム１１ｂとによって方形の枠形状を構成し、当該枠形状の角部の内側に上記内挿金物１１ｄが装着されており、上記内挿金物１１ｄの第１面部は上記縦フレーム１１ａのウェブに位置し、上記内挿金物１１ｄの第２面部は上記縦フレーム１１ａおよび上記横フレーム１１ｂのフランジの重なり箇所に位置している．【選択図】図５
2014148799.tif 000002
【特許請求の範囲】
【請求項１】
ウェブおよびフランジを有する縦フレームと、ウェブおよびフランジを有する横フレームと、第１面部および第２面部をＬ字状に有するＬ字部材とを備えており、上記縦フレームと上記横フレームとを接合して枠形状を構成し、当該枠形状の角部の内側に上記Ｌ字部材が装着されており、上記Ｌ字部材の第１面部は上記縦フレームまたは上記横フレームのウェブに位置し、上記Ｌ字部材の第２面部は上記縦フレームおよび上記横フレームのフランジの箇所に位置していることを特徴とするフレーム。
【請求項２】
請求項１に記載のフレームにおいて、上記Ｌ字部材は当該フレームの上部の角部に装着されており、別のＬ字部材が、当該フレームの下部の角部に、その第１面部および第２面部を上記縦フレームと上記横フレームのウェブにそれぞれ位置させて設けられていることを特徴とするフレーム。
【請求項３】
請求項１または請求項２に記載のフレームにおいて、上記Ｌ字部材が上記縦フレームのウェブの外面側から螺合された頭付き螺子によって装着されていることを特徴とするフレーム。
【請求項４】
請求項１〜請求項３のいずれか１項に記載のフレームに外壁板が固定された外壁パネル。
【請求項５】
請求項４に記載の外壁パネルにおいて、上記フレームの背面側のフランジから突出するボルト部を有していることを特徴とする外壁パネル。
【請求項６】
請求項５に記載の外壁パネルが柱梁で構成される構造躯体の屋外側に固定されるカーテンウォール形式の外壁構造であって、上記外壁パネルの一部は、上記構造躯体に設けられた取付部材の挿通孔に通した上記ボルト部を用いて上記構造躯体に固定されていることを特徴とする外壁構造。
【発明の詳細な説明】
【技術分野】
【０００１】
この発明は、外壁パネルに用いることができるフレーム、このフレームを用いた外壁パネル、および上記外壁パネルが建物の構造躯体に固定される外壁構造に関する。
【背景技術】
【０００２】
特許文献１には、外壁パネルを柱梁からなる構造躯体の内部に配置し、上記外壁パネルのフレームを柱梁に固定する外壁構造が開示されている。
【先行技術文献】
【特許文献】
【０００３】
【特許文献１】特開平１０−０７２８８６号公報
【発明の概要】
【発明が解決しようとする課題】
【０００４】
上記特許文献１の外壁構造では、躯体が層間変形した際に、外壁パネルに力がかかり、場合によっては外壁パネルが損傷することがある。
【０００５】
そこで、柱梁で構成される構造躯体の屋外側に外壁パネルが固定されるカーテンウォール形式の外壁構造とすることが考えられる。
【０００６】
しかしながら、このような外壁構造では上記外壁パネルは風圧力を適切に受け止め，構造躯体に力を伝達することが必要となる。しかしながら，外壁パネルを躯体に固定する方法は納まりの関係から，躯体と向き合うフレーム面に螺合することが多い。このとき，耐力が小さい板の面外方向へ力を負担させることとなる。このため，固定箇所を多くして1箇所当たりの負担を小さくする、または、フレーム断面を大きくする、などの解決方法が考えられる。
【０００７】
この発明は、上記の事情に鑑み、固定箇所を増やさず，フレーム断面を最小限としながら、風圧力を適切に受け止めることができるように上記フレームを用いて構成された外壁パネル、並びに上記外壁パネルを用いたカーテンウォール形式の外壁構造を提供することを課題とする。
【課題を解決するための手段】
【０００８】
この発明のフレームは、上記の課題を解決するために、ウェブおよびフランジを有する縦フレームと、ウェブおよびフランジを有する横フレームと、第１面部および第２面部をＬ字状に有するＬ字部材とを備えており、上記縦フレームと上記横フレームとを接合して枠形状を構成し、当該枠形状の角部の内側に上記Ｌ字部材が装着されており、上記Ｌ字部材の第１面部は上記縦フレームまたは上記横フレームのウェブに位置し、上記Ｌ字部材の第２面部は上記縦フレームおよび上記横フレームのフランジの箇所に位置していることを特徴とする。
【０００９】
上記の構成であれば、第１面部および第２面部をＬ字状に有するＬ字部材が、上記縦フレームと上記横フレームとによる枠形状の角部の内側に装着されているので、肉厚をあまり厚くせず軽量化を実現しながら剛性が高められる。また、上記フランジにその面に直交する方向に力が加わったとき、この力は上記Ｌ字部材の上記第２面部から上記第１面部を介して上記ウェブに伝達される。したがって、上記力は上記ウェブの面内方向で安定的に受け止められることになる。
【００１０】
上記Ｌ字部材は当該フレームの上部の角部に装着されており、別のＬ字部材が、当該フレームの下部の角部に、その第１面部および第２面部を上記縦フレームと上記横フレームのウェブにそれぞれ位置させて設けられていてもよい。これによれば、例えば、上記横フレームの下面となるウェブにボルトを縦に挿通して上記フレームを基礎上等に配置した場合、上記フレームの自重を上記別のＬ字部材を用いて受けることが可能になる。
【００１１】
上記Ｌ字部材が上記縦フレームのウェブの外面側から螺合された頭付き螺子によって装着されていてもよい。これによれば、フレーム同士を縦フレームのウェブを背面配置させて横に並べる場合に、当該フレーム同士の縦フレーム間に上記頭付き螺子の頭部高さの２倍分の間隔（目地）を確保することができる。
【００１２】
また、この発明の外壁パネルは、上記いずれかのフレームに外壁板が固定されたことを特徴とする。これによれば、外壁パネルとして上記の諸効果を享受することができる。また、地震時に当該外壁パネルにこれを変形させる力が働いても、当該外壁パネルの角部の直角を維持し、上記外壁板の損傷を防止できる。
【００１３】
上記外壁パネルにおいて、上記フレームの背面側のフランジから突出するボルト部を有していてもよい。これによれば、上記背面側のフランジにこれと直交する方向に風圧力が加わったとき、この風圧力は上記Ｌ字部材の上記第２面部から上記第１面部を介して上記ウェブに伝達される。したがって、上記風圧力は上記ウェブの面内方向で安定的に受け止められることになる。
【００１４】
また、この発明の外壁構造は、上記外壁パネルが柱梁で構成される構造躯体の屋外側に固定されるカーテンウォール形式の外壁構造であって、上記外壁パネルの一部は、上記構造躯体に設けられた取付部材の挿通孔に通した上記ボルト部を用いて上記構造躯体に固定されていることを特徴とする。これによれば、上記外壁パネルの一部において、上記背面側のフランジにその面と直交する方向に風圧力が加わったとき、この風圧力は上記ボルト部を介して上記構造躯体に伝達される。そして、上記風圧力は、上記Ｌ字部材の上記第２面部から上記第１面部を介して上記ウェブに伝達されるので、このウェブの面内方向で安定的に受け止められる。
【発明の効果】
【００１５】
本発明であれば、フレームの肉厚をあまり厚くせずに軽量化を実現しながら剛性を高めることができる。また、外壁パネルとしては風圧力を適切に受け止めることが可能になる。そして、上記外壁パネルを用いてカーテンウォール形式の外壁構造が実現できるという効果を奏する。
【図面の簡単な説明】
【００１６】
【図１】本発明の実施形態の外壁構造の概略構造を示した外壁の横断面図である。
【図２】上記外壁構造にかかる１階部分を示した斜視図である。
【図３】同図（Ａ）は、図２の外壁構造にかかる柱配置の基礎側部分を示した平面視の説明図であり、同図（Ｂ）は同側面視の説明図であり、同図（Ｃ）は同正面視の説明図である。
【図４】同図（Ａ）は、図２の外壁構造にかかる柱が無い箇所の基礎側部分を示した平面視の説明図であり、同図（Ｂ）は同側面視の説明図であり、同図（Ｃ）は同正面視の説明図である。
【図５】同図（Ａ）は、上記外壁構造の外壁パネルで用いられる本発明の実施形態の内挿金物（Ｌ字部材）を立体的に示した説明図であり、同図（Ｂ）は上記内挿金具が配置された箇所の内側を立体的に示した説明図であり、同図（Ｃ）は上記内挿金具が配置された箇所の外側を立体的に示した説明図である。
【図６】同図（Ａ）は、図２の外壁構造にかかる柱配置の梁側部分を示した平面視の説明図であり、同図（Ｂ）は同側面視の説明図であり、同図（Ｃ）は同正面視の説明図である。
【図７】同図（Ａ）は、図２の外壁構造にかかる柱が無い箇所の梁側部分を示した平面視の説明図であり、同図（Ｂ）は同側面視の説明図であり、同図（Ｃ）は第２取付部材を立体的に示した説明図である。
【発明を実施するための形態】
【００１７】
以下、この発明の実施の形態を添付図面に基づいて説明する。
図１に示す外壁構造例では、例えば、柱２は２Ｐ（Ｐ＝９１０ｍｍ）間隔で配置されている。外壁パネル１は横幅が２Ｐのものもあればそうでないものもある。また、この外壁構造例では、外壁の出隅部１０１や入隅部１０２も示されている。上記外壁パネル１は、上記柱２および梁３（図２等参照）で構成される構造躯体の屋外側に配置される。
【００１８】
上記外壁パネル１においては、そのフレーム１１内に繊維系断熱材１ａが配置されており、上記フレーム１１の室内側に上記繊維系断熱材１ａを覆うようにシート１ｂが設けられており、上記フレーム１１の屋外側に外張断熱材１ｃが設けられており、上記外張断熱材１ｃと外壁面材１ｄとの間に通気層１ｅを形成するように下地桟１ｆが配置されている。また、上記通気層１ｅに面する上記外張断熱材１ｃの面に透湿防水シートが設けられている。もちろん、上記外壁パネル１は上記のような構造に限られるものではない。
【００１９】
図２に示しているように、上記フレーム１１は、対向する左右の縦フレーム１１ａ・１１ａと上下の横フレーム１１ｂ・１１ｂとを備えた方形枠形状を有する。上記縦フレーム１１ａおよび上記横フレーム１１ｂは、フランジとフランジを繋ぐウェブで構成される溝形鋼から成る。上記縦フレーム１１ａと上記横フレーム１１ｂの端部同士の接合は、例えば、角部の重ね合わせ箇所において打ち込まれたリベットにより行われる。
【００２０】
また、上記外壁パネル１は、その上部において、上記フレーム１１の背面側のフランジから水平方向に突出する両切りのボルト部１２を有しており、その下部において上記フレーム１１のウェブに形成された上下方向に貫通するフレーム挿通孔１３を有している。なお、図２は１階側で上記外壁パネル１の下側が建物基礎４に支持される構造例を示している。
【００２１】
上記建物基礎４上には上記柱２を上記建物基礎４に連結する第１基礎上部材２１が設けられている。そして、上記第１基礎上部材２１よりも外側の位置にボルト４１がその頭部を下に向けて配置されている。
【００２２】
図３（Ａ），（Ｂ），（Ｃ）にも示しているように、上記建物基礎４上にはアンカーボルト４ａの上端部が突出しており、このアンカーボルト４ａを用いて上記第１基礎上部材２１が上記建物基礎４に固定される。上記第１基礎上部材２１の柱状部分は横断面コ字形状を有している。そして、ボルト受けプレート４２が上記ボルト４１の頭部と上記建物基礎４との間に設けられている。上記ボルト受けプレート４２は断面コ字形状を有しており、下側片部は上記ボルト４１の頭部よりも面積が大になっている。また、上記ボルト受けプレート４２の上側片部に形成された切欠き部に上記ボルト４１の胴部が位置している。
【００２３】
そして、上記建物基礎４上に配置された上記ボルト４１が上記フレーム１１の上記フレーム挿通孔１３に通されており、上記ボルト４１に螺合されたナット４３が上記フレーム１１の下側に位置している。また、上記フレーム１１の下面と上記ナット４３との間に接続プレート４４が設けられている。この接続プレート４４は断面Ｌ字形状を有しており、その水平片部を上記フレーム１１の下面と上記ナット４３との間に位置させている。上記水平片部には、２個のボルト挿通用の孔４４ａが形成されている。また、上記接続プレート４４は、その垂直片部を上に向けた状態で上記第１基礎上部材２１の上記柱状部分に対面させている。上記垂直片部には、上記２個のボルト挿通用の孔４４ａの間（隣り合うボルト４１の間）の中間垂直線上に位置するように、１個の貫通孔４４ｂが形成されており、この貫通孔４４ｂに通されたボルト４５によって上記接続プレート４４が上記第１基礎上部材２１の柱状部分に固定されている。
【００２４】
すなわち、上記のように、隣り合う外壁パネル１の近接する上記フレーム挿通孔１３には、隣り合うように位置する上記ボルト４１が頭部を下にして挿通されており、上記フレーム１１の底部を受け止めるとともに上記隣り合うボルト４１が貫通する孔４４ａを有した上記接続プレート４４が、建物基礎４上の上記第１基礎上部材２１に水平に設けられた１本のボルト４５を中心に水平軸回りに回動可能に設けられており、上記隣り合うボルト４１には上記接続プレート４４の下側でナット４３が螺合されている。上記ナット４３を回すことで上記外壁パネル１の高さ調節が行える。なお、上記外壁パネル１は、その下部において上記建物基礎４に固定されているわけではない。
【００２５】
上記フレーム１１の下側内部の左右位置には、第１面部および第２面部をＬ字状に有する断面Ｌ字形状で縁に補強リブが設けられた補強金物（別のＬ字部材）１１ｃが設けられている。上記補強金物１１ｃは、上記第１面部および第２面部を上記縦フレーム１１ａと上記横フレーム１１ｂのウェブにそれぞれ位置させて設けられている。また、この補強金物１１ｃには上記フレーム挿通孔１３が形成される位置に貫通孔が形成されている。また、上記補強金物１１ｃにはナット１５が溶接されており、上記縦フレーム１１ａの外側から上記ナット１５にスペーサボルト（なべ頭付き螺子）１４が螺合されることで上記縦フレーム１１ａに上記補強金物１１ｃが固定されている。また、上記スペーサボルト１４の頭部によって、隣り合う外壁パネル１の間隔が一定に形成される。
【００２６】
図４（Ａ），（Ｂ），（Ｃ）にも示しているように、柱２が無い箇所にも、上記建物基礎４上にアンカーボルト４ａの上端部が突出しており、このアンカーボルト４ａを用いて第２基礎上部材４７が上記建物基礎４に固定される。そして、上記ボルト受けプレート４２が上記ボルト４１の頭部と上記建物基礎４との間に設けられている。また、上記ボルト受けプレート４２の上側片部に形成された切欠き部に上記ボルト４１の螺子部が位置している。
【００２７】
そして、この図４に示した柱２が無い箇所においても、上記建物基礎４上に配置された上記ボルト４１が上記フレーム１１の上記フレーム挿通孔１３に通されており、上記ボルト４１に螺合されたナット４３が上記フレーム１１の下側に位置している。また、上記フレーム１１の下面と上記ナット４３との間に接続プレート４４が設けられている。この接続プレート４４は断面Ｌ字形状を有しており、その水平片部を上記フレーム１１の下面と上記ナット４３との間に位置させている。上記水平片部には、２個のボルト挿通用の孔４４ａが形成されている。また、上記接続プレート４４は、その垂直片部を下に向けた状態で上記第２基礎上部材４７の垂直部分に対面させている。上記垂直片部には、上記２個のボルト挿通用の孔４４ａの間の中間垂直線上に位置するように、１個の貫通孔４４ｂが形成されており、この貫通孔４４ｂに通されたボルト４５によって上記接続プレート４４が上記第２基礎上部材４７の柱状部分に固定されている。
【００２８】
すなわち、上記のように、隣り合う外壁パネル１の近接する上記フレーム挿通孔１３には、隣り合うように位置する上記ボルト４１が頭部を下にして挿通されており、上記フレーム１１の底部を受け止めるとともに上記隣り合うボルト４１が貫通する孔４４ａを有した上記接続プレート４４が、建物基礎４上の上記第２基礎上部材４７に水平に設けられた１本のボルト４５を中心に水平軸回りに回動可能に設けられており、上記隣り合うボルト４１には上記接続プレート４４の下側でナット４３が螺合されている。
【００２９】
さらに、この図４に示した柱２が無い箇所においても、上記フレーム１１の下側の左右位置には断面Ｌ字形状で縁に補強リブが設けられた補強金物１１ｃが設けられており、この補強金物１１ｃには上記フレーム挿通孔１３が形成される位置に貫通孔が形成されている。また、上記補強金物１１ｃにはナット１５が溶接されており、上記縦フレーム１１ａの外側から上記ナット１５にスペーサボルト１４が螺合されることで上記縦フレーム１１ａに上記補強金物１１ｃが固定される。また、上記スペーサボルト１４の頭部によって、隣り合う外壁パネル１の間隔が一定に形成される。
【００３０】
また、図２に示したように、例えば、上記フレーム１１の上部右角部は上記ボルト部１２を用いて上記構造躯体に固定されている。具体的には、上記柱２と上記梁３とを接合する接合部材２２に設けられた第１取付部材２３には挿通孔２３ａが形成されており、この挿通孔２３ａに通した上記ボルト部１２を用いて上記フレーム１１が上記構造躯体に固定されている。そして、上記フレーム１１の上部左角部は上記ボルト部１２を用いて上記構造躯体に固定されている。具体的には、上記柱２が存在しない箇所の上記梁３に設けられた第２取付部材３１には挿通孔３１ａが形成されており、この挿通孔３１ａに通した上記ボルト部１２を用いて上記フレーム１１が上記構造躯体に固定されている。
【００３１】
図５（Ａ），（Ｂ），（Ｃ）に示すように、上記フレーム１１の上部角部には、第１面部および第２面部をＬ字状に有する断面Ｌ字形状で縁に補強リブが設けられた内挿金物（Ｌ字部材）１１ｄが配置されている。上記内挿金物１１ｄは、上記第１面部を上記縦フレーム１１ａのウェブに位置させており、上記第２面部を上記縦フレーム１１ａおよび上記横フレーム１１ｂのフランジの重なり箇所に位置させている。そして、上記内挿金物１１ｄの上記各面部には貫通孔が互いに位置をずらして形成されており、上記内挿金物１１ｄの上記各面部の内側には上記貫通孔に合わせて第１ナット１１ｅと第２ナット１１ｆが溶接されている。上記第１ナット１１ｅは上記フレーム１１のフランジに対面しており、上記ボルト部１２が螺合される。また、上記第２ナット１１ｆは上記フレーム１１のウェブに対面しており、スペーサボルト１４が螺合される。なお、上記フレーム１１の上面箇所には外壁パネル１を吊るときに用いるリングボルトが螺合されるナット１１ｇが溶接されている。
【００３２】
図６（Ａ），（Ｂ），（Ｃ）にも示しているように、上記柱２が存在する箇所では、上記接合部材２２は上記梁３の下面側にボルト３２とナット３３によって固定されている。上記第１取付部材２３は上記接合部材２２に溶接固定されている。また、上記第１取付部材２３は上記外壁パネル１側に突出する凸面部２３ｂを有しており、この凸面部に上記挿通孔２３ａが形成されている。上記挿通孔２３ａに挿通された上記ボルト部１２にナット２３１を螺合させて締結することで上記外壁パネル１の上部側が上記第１取付部材２３に固定される。
【００３３】
一方、図７（Ａ），（Ｂ），（Ｃ）にも示しているように、上記柱２が存在しない箇所では、上記第２取付部材３１は上記梁３の下面側にボルト３２とナット３３とによって固定されている。上記第２取付部材３１は上記外壁パネル１側に突出する凸面部３１ｂを有しており、この凸面部３１ｂに上記挿通孔３１ａが形成されている。上記挿通孔３１ａに挿通された上記ボルト部１２にナット３４を螺合させて締結することで上記外壁パネル１の上部左側が上記第２取付部材３１に固定される。
【００３４】
上記第２取付部材３１は、例えば、図７（Ｃ）に示すように、断面略Ｌ字状部位とその側縁に形成された略三角形状の補強リブ部とからなる形状を有している。この第２取付部材３１は、プレス加工による金物であるが、上記断面略Ｌ字状部位に上記略三角形状の補強リブ部を溶接した溶接金物としてもよい。
【００３５】
このように、上記フレーム１１は、ウェブおよびフランジを有する縦フレーム１１ａと、ウェブおよびフランジを有する横フレーム１１ｂと、第１面部および第２面部をＬ字状に有するＬ字部材としての内挿金物１１ｄとを備えており、上記縦フレーム１１ａと上記横フレーム１１ｂとによって方形の枠形状を構成し、当該枠形状の角部の内側に上記内挿金物１１ｄが装着されており、上記内挿金物１１ｄの第１面部は上記縦フレーム１１ａのウェブに位置し、上記内挿金物１１ｄの第２面部は上記縦フレーム１１ａおよび上記横フレーム１１ｂのフランジの重なり箇所に位置している。これにより、上記フレーム１１は、肉厚をあまり厚くせずに軽量化を実現しながら剛性が高められる。また、上記フランジにこれと直交する方向に風圧力が加わったとき、この風圧力は上記内挿金物１１ｄの上記第２面部から上記第１面部を介して上記ウェブに伝達される。したがって、上記風圧力は上記ウェブの面内方向で安定的に受け止められることになる。また、地震時に当該外壁パネル１にこれを変形させる力が働いても、当該外壁パネル１の角部の直角を維持し、上記外壁面材１ｄ等（外壁板）の損傷を防止できる。
【００３６】
また、上記内挿金物１１ｄはフレーム１１の上部の２カ所の角部に装着されており、別のＬ字部材としての上記補強金物１１ｃが、当該フレーム１１の下部の２カ所の角部に、その第１面部および第２面部を上記縦フレーム１１ａと上記横フレーム１１ｂのウェブにそれぞれ位置させて設けられている。これにより、上記横フレーム１１ｂの下面となるウェブに上記ボルト４１を縦に挿通して上記フレームを基礎４上に配置した場合、上記フレーム１１の自重を上記補強金物１１ｃで受けることが可能になる。
【００３７】
また、上記内挿金物１１ｄがウェブの外面側から螺合されたスペーサボルト１４によって装着されていると、フレーム１１同士を縦フレーム１１ａのウェブを背面配置させて横に並べる場合に、当該フレーム１１同士の縦フレーム１１ａ間に上記スペーサボルト１４の頭部高さの２倍分の間隔（目地）を確保することができる。
【００３８】
また、上記外壁パネル１の一部（上角部）は、上記フレーム１１の背面側から突出するボルト部１２により、上記柱２が存在する箇所に上記第１取付部材２３によって連結固定され、上記外壁パネル１の他の一部（上角部）は、上記ボルト部１２により、上記柱２が存在しない箇所に上記第２取付部材３１によって連結されているので、両連結の作業は上記ボルト部１２を上記挿通孔２３ａ、３１ａに通して固定するという同質の作業で行えるようになる。また、柱が長スパン間隔で配置される構造においても適切に外壁パネル１を躯体に固定することができる。
【００３９】
なお、上記の例では、上記内挿金物１１ｄの第１面部は上記縦フレーム１１ａのウェブに位置したが、上記第１面は上記横フレーム１１ｂのウェブに位置してもよい。
【００４０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４１】
１      外壁パネル
１１    フレーム
１１ａ  縦フレーム
１１ｂ  横フレーム
１１ｃ  補強金物（別のＬ字部材）
１１ｄ  内挿金物（Ｌ字部材）
１２    ボルト部
１３    フレーム挿通孔
１４    スペーサボルト
２      柱
２１    第１基礎上部材
２２    接合部材
２３    第１取付部材
２３ａ  凸面部
３      梁
３１    第２取付部材
３１ａ  挿通孔
３１ｂ  凸面部
４      建物基礎
４１    ボルト
４２    ボルト受けプレート
４３    ナット
４４    接続プレート
【図１】
2014148799.tif 000003
【図２】
2014148799.tif 000004
【図３】
2014148799.tif 000005
【図４】
2014148799.tif 000006
【図５】
2014148799.tif 000007
【図６】
2014148799.tif 000008
【図７】
2014148799.tif 000009